(57)【特許請求の範囲】
【請求項１】
建物の開口部に設置された戸枠と、前記開口部を開閉自在に前記戸枠に支持された扉と、の隙間に設けられ、火災時に発生した煙が前記隙間を通じて拡散することを防止するための防煙テープにおいて、
火災初期段階の低温の熱により膨張する低温膨張部と、
火災盛期段階の高温の熱により膨張する高温膨張部と、が積層形成されており、
前記低温膨張部は、前記低温の熱により不燃ガスを放出する低温膨張層と、該低温膨張層を覆い、前記不燃ガスにより膨張する第１保護フィルムと、を備え、
前記高温膨張部は、前記高温の熱により発泡膨張する高温発泡層と、該高温発泡層を覆う第２保護フィルムと、を備え、
前記低温膨張部と前記高温膨張部とは接着部材により一体化されており、
前記低温膨張層は炭酸塩と高級脂肪酸と水とを混合したもので構成され、
前記高温膨張層は珪酸ソーダまたは耐火塗料で構成されていることを特徴とする防煙テープ。
【発明の詳細な説明】
【技術分野】
【０００１】
本発明は、防煙テープに関するものである。
【背景技術】
【０００２】
従来、火災時に熱や煙の拡散を抑えるために、自閉式の不燃扉や防火扉が建物に設置されている。また、この種の扉においては、例えば図１１に示すように、平常時の扉１の開閉を円滑にして使い勝手を確保するために、扉閉鎖時においても戸枠２と扉１との間に（扉１の周囲に）若干の隙間Ｈを設けるようにして設置されている。
【０００３】
このため、この種の扉１は、火災時に火災の延焼を防止する大きな効果を発揮できるものの、戸枠２と扉１との隙間Ｈから煙が漏洩（拡散）してしまう。そして、例えば火災時に主要な避難経路となる階段室に設けられた階段室扉と戸枠との隙間から煙が侵入した場合には、特に高齢者の避難には長時間を要することを考えると、僅かな煙の侵入でも重大な事態を招くおそれがある。また、意匠上、階段室扉が天井高と同レベルで設置された建物が多くなっており、このような場合には、階段室扉が大面積になるとともに、戸枠と扉との隙間が大きくなるため、火災時の煙の侵入量が増大し、危険性がさらに高くなる。
【０００４】
一方、高齢者用にエレベータを避難用に利用することも考えられているが、通常のエレベータ扉は、閉鎖していても階段室扉以上に煙がエレベータシャフトやエレベータ室内に侵入しやすく、現状ではエレベータの利用も十分に有効とはいえない。また、エレベータシャフトに給気を行い、エレベータシャフトの圧力を周囲よりも正圧にし、シャフト内への煙の侵入を防止する対策も考えられるが、この対策では、建物が高層になるほど、ドラフトの影響などにより設備容量が著しく増大し、高コストになってしまう。
【０００５】
このような問題を解消するために、例えば特許文献１には、平常時の扉の開閉に支障をきたすことなく、火災時に戸枠と扉との隙間を閉塞させて確実に煙の漏出（拡散）を防止することが可能な防煙シートが開示されている。
【先行技術文献】
【特許文献】
【０００６】
【特許文献１】特開２００９−２０９６０７号公報
【発明の概要】
【発明が解決しようとする課題】
【０００７】
ところで、特許文献１の防煙シートは、火災時に戸枠と扉との隙間を閉塞させることができるものの、発泡性防煙層が発泡膨張して戸枠と扉との隙間を閉塞するまでに多少時間がかかるという課題がある。
【０００８】
そこで、本発明は、上記事情を鑑みてなされたものであり、短時間で火災時に戸枠と扉との隙間を閉塞させて確実に煙の漏洩を防止することが可能な防煙シートを提供するものである。
【課題を解決するための手段】
【０００９】
上記の課題を解決するために、本発明の防煙テープは、建物の開口部に設置された戸枠と、前記開口部を開閉自在に前記戸枠に支持された扉と、の隙間に設けられ、火災時に発生した煙が前記隙間を通じて拡散することを防止するための防煙テープにおいて、火災初期段階の低温の熱により膨張する低温膨張部と、火災盛期段階の高温の熱により膨張する高温膨張部と、が積層形成されており、前記低温膨張部は、前記低温の熱により不燃ガスを放出する低温膨張層と、該低温膨張層を覆い、前記不燃ガスにより膨張する第１保護フィルムと、を備え、前記高温膨張部は、前記高温の熱により発泡膨張する高温発泡層と、該高温発泡層を覆う第２保護フィルムと、を備え、前記低温膨張部と前記高温膨張部とは接着部材により一体化されており、前記低温膨張層は炭酸塩と高級脂肪酸と水とを混合したもので構成され、前記高温膨張層は珪酸ソーダまたは耐火塗料で構成されていることを特徴としている。
【００１０】
このように構成した防煙テープを戸枠と扉との隙間に配することにより、火災初期段階においては、低温膨張部が膨張することで防煙テープの厚さが増大して隙間を閉塞させることができる。また、火災盛期段階においては、低温膨張部に代わって高温膨張部が膨張することで防煙テープの厚さが増大して隙間を閉塞させることができる。つまり、低温膨張部には低温でも短時間で膨張して隙間を閉塞させることができる材料を採用することにより、短時間で火災時に戸枠と扉との隙間を閉塞させて確実に煙の漏洩を防止することができる。さらに、高温膨張部には高温でも膨張状態を保持させることができる材料を採用することにより、火災時に発生した煙が戸枠と扉との隙間を通じて拡散することを長時間に亘って確実に防止できる。一方、平常時には、低温膨張部および高温膨張部はともに膨張していないため、戸枠と扉との隙間が確保され、円滑に扉の開閉動作を行うことが可能であり、扉の開閉に支障をきたすようなことがない。
【００１２】
また、低温膨張層は火災初期段階の低温の熱でも短時間で確実に不燃ガスを放出するため、該不燃ガスにより低温膨張層を覆うように配された第１保護フィルムを膨張させ、低温膨張部の厚さを増大させることが可能である。これにより、短時間で確実に火災初期段階に発生した煙が戸枠と扉との隙間を通じて拡散することを防止できる。
また、高温発泡層は火災盛期段階の高温の熱により確実に発泡膨張するため、高温発泡層の厚さを増大させることが可能である。これにより、長時間に亘って確実に火災盛期段階に発生した煙が戸枠と扉との隙間を通じて拡散することを防止できる。
【００１４】
さらに、低温膨張層に炭酸塩と高級脂肪酸と水とを混合したものを用いることにより、火災初期段階の低温の熱でも短時間で確実に不燃ガスを排出させることができ、該不燃ガスにより第１保護フィルムを膨張させ、低温膨張部の厚さを増大させることが可能である。これにより、短時間で確実に火災初期段階に発生した煙が戸枠と扉との隙間を通じて拡散することを防止できる。
また、高温発泡層に珪酸ソーダまたは耐火塗料を用いることにより、火災盛期段階の高温の熱により確実に珪酸ソーダまたは耐火塗料を発泡膨張させ、高温発泡層の厚さを増大させることが可能である。また、珪酸ソーダまたは耐火塗料は耐火材料であり、高温環境においても増大した体積が大きく減少することがない。これにより、長時間に亘って確実に火災盛期段階に発生した煙が戸枠と扉との隙間を通じて拡散することを防止できる。
【発明の効果】
【００１５】
本発明の防煙テープによれば、火災初期段階においては、低温膨張部が膨張することで防煙テープの厚さが増大して隙間を閉塞させることができる。また、火災盛期段階においては、低温膨張部に代わって高温膨張部が膨張することで防煙テープの厚さが増大して隙間を閉塞させることができる。つまり、低温膨張部には低温でも短時間で膨張して隙間を閉塞させることができる材料を採用することにより、短時間で火災時に戸枠と扉との隙間を閉塞させて確実に煙の漏洩を防止することができる。さらに、高温膨張部には高温でも膨張状態を保持させることができる材料を採用することにより、火災時に発生した煙が戸枠と扉との隙間を通じて拡散することを長時間に亘って確実に防止できる。
【図面の簡単な説明】
【００１６】
【図１】本発明の実施形態における防煙テープの断面図である。
【図２】本発明の実施形態における防煙テープを戸枠と扉との隙間に取り付けた状態（平常時）を示す正面図である。
【図３】図２のＡ−Ａ線に沿う断面図であり、平常時の状態を示す図である。
【図４】図２のＡ−Ａ線に沿う断面図に相当する図であり、火災初期段階の状態を示す図である。
【図５】図４のＢ部拡大図である。
【図６】図２のＡ−Ａ線に沿う断面図に相当する図であり、火災盛期段階の状態を示す図である。
【図７】図６のＣ部拡大図である。
【図８】本発明の実施形態における防煙テープを戸枠と扉との隙間に取り付けた状態（平常時）の別の態様を示す図（図３に相当）である。
【図９】本発明の実施形態における低温膨張部の別の態様を示す断面図（図１および図５に相当）である。
【図１０】本発明の実施形態における低温膨張部のさらに別の態様を示す断面図（図１および図５に相当）である。
【図１１】従来の戸枠と扉を示す正面図である。
【発明を実施するための形態】
【００１７】
次に、本発明の実施形態を図１〜図１０に基づいて説明する。本実施形態は、建物の開口部に設置された戸枠と、建物の開口部を開閉自在に戸枠に支持された例えば階段室扉やエレベータ扉などの扉との隙間に防煙テープを設けた場合の説明をする。なお、防煙テープは、火災時に発生した煙が戸枠と扉との隙間から漏洩（拡散）することを防止するためのものである。
【００１８】
図１に示すように、本実施形態の防煙テープ１０は、火災初期段階の低温の熱により膨張する低温膨張部１１と、火災盛期段階の高温の熱により膨張する高温膨張部１２と、が積層形成されている。低温膨張部１１と高温膨張部１２とは接着部材１３により一体化されている。また、防煙テープ１０は、その幅が数ｍｍ程度、低温膨張部１１および高温膨張部１２を合わせた厚さが２ｍｍ程度で形成されている。なお、防煙テープ１０の幅や厚さは、扉１と戸枠２との隙間Ｈの大きさに応じて適宜決定すればよい（図２参照）。また、接着部材１３は、通常の接着剤で構わないが、第１保護フィルム１６および第２保護フィルム１８（後に詳述する。）より耐熱温度が高いものを用いる。
【００１９】
低温膨張部１１は、幅広の断面略矩形状に形成されており、低温の熱により不燃ガス２１を放出する低温膨張層１５と、低温膨張層１５を覆い不燃ガス２１により膨張する第１保護フィルム１６と、を備えている。低温膨張層１５は、例えば炭酸塩と高級脂肪酸と水とを混合したもので構成されており、平常時は透明である。
【００２０】
また、第１保護フィルム１６は、例えば耐熱温度が１８０℃程度の透明フィルム材料で構成されている。第１保護フィルム１６は、例えばポリエステルで形成されている。なお、第１保護フィルム１６は、ポリカーボネート、ポリプロピレン、ポリアミド、ポリイミド、ポリエーテルイミドなどを用いて形成してもよい。また、第１保護フィルム１６は、低温膨張層１５を包み、不燃ガス２１を中に閉じ込める機能を有するとともに、熱気流などからの熱が低温膨張層１５に伝わりやすいように、厚さは薄くなっている。さらに、第１保護フィルム１６は、防煙テープ１０の扉１への貼り付け時の作業性が悪くならない程度の厚さ、すなわち防煙テープ１０に適度な弾力性を付与しつつ、その柔軟性を損なうことがないように例えば数十〜数百μｍ程度の厚さで形成されている。本実施形態の第１保護フィルム１６の耐熱温度は、約１８０℃である。つまり、第１保護フィルム１６は火災の途中で溶融してしまう。ただし、第１保護フィルム１６が溶融して不燃ガス２１が抜けても、その段階では、高温発泡層１７がすでに発泡しており、煙が扉１と戸枠２との隙間Ｈを通じて拡散するのを防止している。そして、第１保護フィルム１６の幅は数ｍｍでよい。状況により、幅が広くなり、容積が増しても、低温膨張層１５の量を調整できるため、性能に支障をきたすことはない。なお、第１保護フィルム１６は、透明を基本とするが、扉１に合わせて色を付けてもよい。
【００２１】
そして、上述のように構成された低温膨張部１１は、低温膨張層１５を構成する炭酸塩と高級脂肪酸と水とを混合したものへの入射熱によって不燃ガス２１が発生する。この不燃ガス２１は、低温膨張層１５を覆っている第１保護フィルム１６内に充満することにより、第１保護フィルム１６が膨張し、防煙テープ１０の厚さが増大して扉１と戸枠２との隙間Ｈが塞がれるように構成されている。また、この不燃ガス２１は、扉１と戸枠２との隙間Ｈを通過する熱気流温度が約５０℃になると発生し始め、約６０℃〜８０℃で急増する。不燃ガス２１による第１保護フィルム１６の膨張は、このように比較的低温で反応を開始し、しかも、完了するまでの時間が約１分と極めて短い。つまり、低温の熱気流が扉１と戸枠２との隙間Ｈを通過するのを防止することができる。なお、第１保護フィルム１６の膨張量（高さや幅）は、炭酸塩と高級脂肪酸と水とを混合したものなどの量によって調整できるため、種々の隙間の大きさに対応可能である。また、第１保護フィルム１６は、防煙テープ１０を扉１へ取り付ける際には、弾力性を有しており、破損しにくくなっている。
【００２２】
続いて、高温膨張部１２は、低温膨張部１１と同様に幅広の断面略矩形状に形成されており、高温の熱により発泡膨張する高温発泡層１７と、高温発泡層１７を覆う第２保護フィルム１８と、を備えている。
【００２３】
高温発泡層１７は、例えば珪酸ソーダに発泡開始温度を調整するための発泡促進剤などを混入したもので構成されており、第２保護フィルム１８内に配されている。高温発泡層１７に珪酸ソーダを用いた場合には、安価に製造することができるとともに、平常時に該高温発泡層１７を略透明に形成することが可能になり、扉１や戸枠２に防煙テープ１０を貼り付けても意匠を損なうことがない。また、高温発泡層１７は、含水率が約５０〜６０％に保持されるように第２保護フィルム１８に覆われている。高温発泡層１７の厚さは１ｍｍ以下で、幅が数ｍｍのテープ状にしたものが採用されている。なお、高温発泡層１７の厚さの調整は可能である。
【００２４】
また、高温発泡層１７は、火災箇所の温度が上昇し、熱気流温度も上昇すると、発泡する部分が熱を受け、ほぼ白色で発泡する。この発泡により、火災盛期に近い段階でも扉１と戸枠２との隙間Ｈを塞ぎ、煙が拡散するのを防止することができる。さらに、高温発泡層１７は、略透明から白色に近い有色に変化するため、放射熱を遮断する効果が得られる。また、高温発泡層１７は、熱気流温度が概ね１１０℃を超えたあたりから発泡開始し、熱を受け続けることにより発泡が急激に進むように構成されている。高温発泡層１７が発泡した際の厚さは、約７００℃を超えるようになるまで、大きく減少することがない。また、高温発泡層１７の発泡時の厚さは、該高温発泡層１７の使用前の厚さによって調整することができるため、扉１と戸枠２との隙間Ｈの大きさに左右されない。高温発泡層１７は、防煙テープ１０を扉１へ取り付ける際には、弾力性を有しており、破損しにくくなっている。
【００２５】
第２保護フィルム１８は、例えば耐熱温度が１８０℃程度の透明フィルム材料で構成されている。また、第２保護フィルム１８は、第１保護フィルム１６と同様に例えばポリエステルで形成されている。なお、第２保護フィルム１８は、ポリカーボネート、ポリプロピレン、ポリアミド、ポリイミド、ポリエーテルイミドなどを用いて形成してもよい。また、第２保護フィルム１８は、防煙テープ１０の扉１への貼り付け時の作業性が悪くならない程度の厚さ、すなわち防煙テープ１０に適度な弾力性を付与しつつ、その柔軟性を損なうことがないように例えば数十〜数百μｍ程度の厚さで形成されている。本実施形態の第２保護フィルム１８の耐熱温度は、約１８０℃である。つまり、第２保護フィルム１８は火災の途中で溶融してしまう。ただし、第２保護フィルム１８が溶融した段階では、高温発泡層１７がすでに発泡しており、煙が扉１と戸枠２との隙間Ｈを通じて拡散するのを防止している。そして、第２保護フィルム１８の幅は数ｍｍでよい。状況により、幅が広くなり、容積が増しても、高温発泡層１７の量を調整できるため、性能に支障をきたすことはない。なお、第２保護フィルム１８は、透明を基本とするが、扉１に合わせて色を付けてもよい。
【００２６】
また、本実施形態においては、高温膨張部１２における低温膨張部１１が接着された側の反対側の面に配された第２保護フィルム１８ａが、他の第２保護フィルム１８および高温発泡層１７から剥離可能に構成されており、この第２保護フィルム１８ａを剥離して扉１または戸枠２に貼り付けることができるようになっている。つまり、高温発泡層１７における第２保護フィルム１８ａが剥離された面１７ａには接着剤１９が塗布されており、面１７ａが扉１または戸枠２との接着面として機能するように構成されている。このように構成することで、貼り付け前（使用前）の防煙シート１０の高温発泡層１７が第２保護フィルム１８により保護され、かつ、その含水率が保持される。なお、接着剤１９は、第２保護フィルム１８ａを剥離し、高温発泡層１７を直接扉１または戸枠２に接着できるように塗布されている。
【００２７】
そして、高温発泡層１７は、発泡促進剤の添加により例えば１１０℃程度の温度で加熱されると珪酸ソーダが発泡し始め、加熱温度が高くなるほどに珪酸ソーダの発泡が進行して、漸次その厚さが増大していく。このとき、高温発泡層１７は、略透明の状態から珪酸ソーダの発泡によって白色に近い有色に変化する。また、この高温発泡層１７は、７００℃程度の高温で加熱された場合においても増大した厚さが大きく減少するようなことがない。なお、発泡促進剤としては、メタノール、エタノール、グリセリンなどのアルコール類の他、エーテル、エステルなどの有機化合物も考えられる。
【００２８】
図２、図３に示すように、防煙テープ１０は、第２保護フィルム１８ａを剥がし、高温発泡層１７の接着剤１９が塗布された面１７ａを扉１の外周面１ａに貼り付けるという簡便な作業で、扉１と戸枠２との隙間（扉１の周囲の隙間）Ｈに介装して設けられる。防煙テープ１０は扉１の外周面１ａの全周に亘って貼り付けられている。そして、このように貼り付けた防煙テープ１０は、厚さや幅が極めて小さく形成されているため、扉１の意匠を損なうことがなく、平常時に扉１を開閉する際においても扉１と戸枠２との隙間Ｈが十分に確保され、扉１の開閉動作に支障をきたすことなく貼り付けられている。
【００２９】
また、このように貼り付けた防煙テープ１０は、第２保護フィルム１８によって高温発泡層１７が保護され、高温発泡層１７が好適な保水状態で保持されている。これにより、高温発泡層１７は、珪酸ソーダによる発泡性能が長期にわたって確実に維持される。すなわち、第２保護フィルム１８によって高温発泡層１７が機能劣化しないように保護されている。
【００３０】
図４、図５に示すように、建物に火災が発生した直後の火災初期段階において、扉１と戸枠２との隙間Ｈを通過する熱気流温度が約５０℃になると、低温膨張層１５の炭酸塩と高級脂肪酸と水とを混合したものから不燃ガス２１が発生し始め、第１保護フィルム１６を膨らませる。このとき、第１保護フィルム１６は薄膜で形成されているため、低温膨張部１５は確実に周囲の熱を受熱して不燃ガス２１を発生させることができる。低温膨張層１５から発生する不燃ガス２１は、温度約６０℃〜８０℃で急増する。不燃ガス２１による第１保護フィルム１６の膨張は、このように比較的低温で反応を開始し、しかも、完了するまでの時間が約１分と極めて短い。つまり、低温の熱気流が扉１と戸枠２との隙間Ｈを通過するのを防止することができる。
【００３１】
火災初期段階で消火されずに火災が継続すると、熱気流の温度が徐々に高くなり、火災盛期段階へと移行する。図６、図７に示すように、火災盛期段階において、扉１と戸枠２との隙間Ｈを通過する熱気流温度が約１１０℃になると、高温発泡層１７が発泡し始める。つまり、低温膨張部１１（第１保護フィルム１６）を押し潰すように高温発泡層１７が発泡する。温度が１８０℃を超えると第１保護フィルム１６が溶解し始めることにより、不燃ガス２１が一気に第１保護フィルム１６内から排出される。その時、高温発泡層１７は継続して発泡し続けているため、高温発泡層１７の厚さが急激に増大する。すると、高温発泡層１７が低温膨張層１５に代わり隙間Ｈを継続して塞ぎ、煙の拡散を確実に防止することができる。なお、第１保護フィルム１６と略同時に第２保護フィルム１８も溶解する。
【００３２】
また、この防煙テープ１０は、受熱時間が長くなるほどに、また加熱温度が高くなるほどに高温発泡層１７の発泡膨張が進行していき、扉１と戸枠２との隙間Ｈをさらに強固で確実に閉塞させ、確実に煙の漏洩が阻止される。さらに、この防煙テープ１０は、７００℃近い高温で加熱された場合においても、高温発泡層１７の増大した厚さが大きく減少するようなことがないため、扉１と戸枠２との隙間Ｈが火災時に継続的に閉塞される。このため、扉１が例えば避難経路となる階段室扉やエレベータ扉である場合に、確実に避難経路に煙が侵入することが防止される。
【００３３】
また、このように防煙テープ１０の高温発泡層１７が加熱によって発泡膨張するとともに、略透明から白色に近い有色に変化することで、煙とともに火災の放射熱も遮断されることになる。このため、非火災側に延焼が生じることも防止される。
【００３４】
本実施形態によれば、防煙テープ１０を扉１と戸枠２との隙間Ｈに配することにより、火災初期段階においては、低温膨張部１１が膨張することで防煙テープ１０の厚さが増大して隙間Ｈを閉塞させることができる。また、火災盛期段階においては、低温膨張部１１に代わって高温膨張部１２が膨張することで防煙テープ１０の厚さが増大して隙間Ｈを閉塞させることができる。つまり、低温膨張部１１には低温でも短時間で膨張して隙間Ｈを閉塞させることができる材料を採用することにより、短時間で火災時に扉１と戸枠２との隙間Ｈを閉塞させて確実に煙の漏洩を防止することができる。さらに、高温膨張部１２には高温でも膨張状態を保持させることができる材料を採用することにより、火災時に発生した煙が扉１と戸枠２との隙間Ｈを通じて拡散することを長時間に亘って確実に防止できる。一方、平常時には、低温膨張部１１および高温膨張部１２はともに膨張していないため、扉１と戸枠２との隙間Ｈが確保され、円滑に扉１の開閉動作を行うことが可能であり、扉１の開閉に支障をきたすようなことがない。
【００３５】
また、低温膨張部１１は、低温の熱により不燃ガスを放出する低温膨張層１５と、低温膨張層を１５覆い、不燃ガス２１により膨張する第１保護フィルム１６と、を備えるように構成したため、低温膨張層１５は火災初期段階の低温の熱でも短時間で確実に不燃ガス２１を放出するため、不燃ガス２１により低温膨張層１５を覆うように配された第１保護フィルム１６を膨張させ、低温膨張部１１の厚さを増大させることが可能である。これにより、短時間で確実に火災初期段階に発生した煙が扉１と戸枠２との隙間Ｈを通じて拡散することを防止できる。
【００３６】
また、高温膨張部１２は、高温の熱により発泡膨張する高温発泡層１７と、高温発泡層１７を覆う第２保護フィルム１８と、を備えるように構成したため、高温発泡層１７は火災盛期段階の高温の熱により確実に発泡膨張するため、高温発泡層１７の厚さを増大させることが可能である。これにより、長時間に亘って確実に火災盛期段階に発生した煙が扉１と戸枠２との隙間Ｈを通じて拡散することを防止できる。
【００３７】
さらに、低温膨張層１５に炭酸塩と高級脂肪酸と水とを混合したものを用いることにより、火災初期段階の低温の熱でも短時間で確実に不燃ガス２１を排出させることができ、不燃ガス２１により第１保護フィルム１６を膨張させ、低温膨張部１１の厚さを増大させることが可能である。これにより、短時間で確実に火災初期段階に発生した煙が扉１と戸枠２との隙間Ｈを通じて拡散することを防止できる。
【００３８】
そして、高温発泡層１７に珪酸ソーダを用いることにより、火災盛期段階の高温の熱により確実に珪酸ソーダを発泡膨張させ、高温発泡層１７の厚さを増大させることが可能である。また、珪酸ソーダは耐火材料であり、高温環境においても増大した体積が大きく減少することがない。これにより、長時間に亘って確実に火災盛期段階に発生した煙が扉１と戸枠２との隙間Ｈを通じて拡散することを防止できる。
【００３９】
なお、防煙テープ１０は、煙の拡散を防止させたい扉の外周面に貼るだけでよいため、新築はもちろん改修現場への適用も容易である。また、低温膨張層１５に、食品としても利用される炭酸塩と高級脂肪酸と水とを混合したものを用いたため、安全でしかも低コストで防煙テープ１０を製造することができる。また、低温時に扉１と戸枠２との隙間Ｈを塞ぐ方式と、高温時に扉１と戸枠２との隙間Ｈを塞ぐ方式を分けているため、低温時および高温時の発泡開始や発泡厚の調整が容易となり、適用範囲が広くなる。また、高温発泡層１７に、有機剤を含まず、水より安いと言われる珪酸ソーダを用いているため、安全であり、低コストですむ。
【００４０】
また、防煙テープ１０の厚さや幅を極めて小さく形成することができ、扉１または戸枠２に取り付けても目立たないため、意匠上の心配がない。さらに、上述のように構成した防煙テープ１０は、弾力があり、持ち運びや貼り付け作業が便利である。
【００４１】
尚、本発明は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００４２】
例えば、本実施形態では、防煙テープ１０を階段室扉やエレベータ扉などの扉１と戸枠２との隙間Ｈに設けて遮煙性能を付与するものとしたが、火災時の煙の拡散を防止することを要する扉であれば、あらゆる扉に適用可能である。
【００４３】
また、本実施形態では、防煙テープ１０を扉１の外周面１ａに貼り付けるものとしたが、戸枠２の内周面に防煙テープ１０を貼り付けて、隙間Ｈからの煙の拡散を防止するようにしてもよい。この場合においても、本実施形態と同様の効果が得られる。
【００４４】
また、本実施形態では、高温発泡層１７の一方の面１７ａ側に剥離可能な第２保護フィルム１８ａを設けた場合の説明をしたが、この部分の第２保護フィルム１８ａは初めから備えていなくてもよい。
【００４５】
また、本実施形態では、高温発泡層１７の発泡材が珪酸ソーダであるものとして説明を行ったが、火災時の熱により発泡膨張し、高温発泡層１７の厚さを増大させて扉１と戸枠２との隙間Ｈを閉塞させることが可能であれば、耐火塗料など他の発泡材を用いてもよい。高温発泡層１７に耐火塗料を用いる場合、火災の熱によって発泡し、火災盛期に近い段階でも隙間Ｈを閉塞することができるものを選択すればよい。耐火塗料として、例えば、菊水化学工業社製のウエスタを用いることが可能である。この耐火塗料を幅が数ｍｍで、厚さが１ｍｍ程度のテープ状にして使用すればよい。なお、耐火塗料による高温発泡層としては、例えば、有機質結合材、合成樹脂、炭化層形成剤、加熱により分解発泡する成分を含有するものがある。
【００４６】
さらに、本実施形態では、図３に示すように、防煙テープ１０を扉１の外周面１ａに１列で貼り付けた場合の説明をしたが、例えば図８に示すように、防煙テープ１０を並列に複数列で貼り付けてもよい。この場合には、さらに信頼性の高い防煙性能を得ることが可能となる。
【００４７】
そして、本実施形態では、防煙テープ１０の低温膨張部１１の断面形状が矩形状の場合の説明をしたが、図９に示すように低温膨張部１１Ａの形状を断面楕円形にした防煙テープ１０Ａを用いたり、図１０に示すように低温膨張部１１Ｂの形状を断面菱形にした防煙テープ１０Ｂを用いたりしてもよい。また、低温膨張部１１の第１保護フィルム１６は図１に示すように断面略矩形状の両側を蛇腹状に形成して不燃ガス２１によって膨張しやすい形状にしてもよいし、両側を直線状にしてもよい。
【符号の説明】
【００４８】
１…扉  ２…戸枠  １０…防煙テープ  １１…低温膨張部  １２…高温膨張部  １３…接着部材  １５…低温膨張層  １６…第１保護フィルム  １７…高温発泡層  １８…第２保護フィルム  ２１…不燃ガス  Ｈ…隙間
【図１】
0005604209.tif 000002
【図２】
0005604209.tif 000003
【図３】
0005604209.tif 000004
【図４】
0005604209.tif 000005
【図５】
0005604209.tif 000006
【図６】
0005604209.tif 000007
【図７】
0005604209.tif 000008
【図８】
0005604209.tif 000009
【図９】
0005604209.tif 000010
【図１０】
0005604209.tif 000011
【図１１】
0005604209.tif 000012